(57)【要約】【課題】本発明は、簡単な構造で材料費や作業費を抑えることのできるパッキンを提供することを目的としている。【解決手段】本発明に係るパッキンは、扉体２と本体１との透き間を塞ぐために貼付されるパッキン４であって、扉体２を閉じたとき、扉体２がパッキン４を圧縮する深さ以上の溝５を、パッキン４の本体１の水切り部３に対向する面に複数設け、扉体２を閉じてパッキン４を圧縮するのに必要な荷重を小さくして、パッキン性能の有効範囲を広げることを特徴とする。【選択図】図２
2005256996.tif 000002
【特許請求の範囲】
【請求項１】
前面に開口を有し、該開口の周縁は水切り構造とすると共に開口は扉体で施蓋して成る電気機器収納用箱体において、前記扉体と本体との透き間を塞ぐために貼付されるパッキンであって、前記扉体を閉じたとき、扉体が前記パッキンを圧縮する深さ以上の溝を、前記パッキンの前記本体の水切り部に対向する面に複数設けることを特徴とするパッキン。
【発明の詳細な説明】
【技術分野】
【０００１】
本発明は、前面に開口を有し、開口の周縁は水切り構造とすると共に開口は扉体で施蓋して成る電気機器収納用箱体において、扉体と本体との透き間を塞ぐために貼付されるパッキンに関するものである。
【背景技術】
【０００２】
図８〜図９に示すように、電気機器収納用箱体の扉体３１には、開口周縁に対向する位置にパッキン３２を貼付し、箱体３３内部への雨水や塵埃等の異物の進入を防いでいる。パッキン３２は断面が四角もしくは半円の形状である。
【０００３】
しかし、扉体３１を閉じるときにはパッキン３２を圧縮することで密閉性を高め、異物の進入防止を確実なものにしているが、上記パッキン３２を用いた場合、パッキン３２を圧縮するのに必要な荷重が大きくなり、パッキン性能の有効範囲が限られてしまう。有効範囲を広げるためにはパッキン３２を厚くする必要があり、そうした場合材料費がかかってしまうという欠点があった。
【０００４】
そこで、図１０〜図１１に示すように、パッキン３４の断面は四角もしくは半円の形状で中空のものを用い、パッキンの有効範囲を広げながらも材料費を抑えていた。
【非特許文献１】２００３  カワムラカタログ  電設資材編Ｎｏ．３４  平成１５年５月１日改訂
【発明の開示】
【発明が解決しようとする課題】
【０００５】
しかし、上記中空のパッキン３４では、パッキン３４を圧縮するのに必要な荷重は小さく、パッキン性能の有効範囲は広がるが、扉体のコーナー部に貼付する場合には、その接合部３５を確実に塞いでしまわなくては、中空の部分３６に水が入ってしまい、性能を維持することが困難であった。扉体のコーナー部へのパッキン３４の貼付作業は大変手間がかかるものである。
【課題を解決するための手段】
【０００６】
本発明は、簡単な構造で材料費や作業費を抑えることのできるパッキンを提供することを目的とし、その構造は、扉体と本体との透き間を塞ぐために貼付されるパッキンであって、扉体を閉じたとき、扉体がパッキンを圧縮する深さ以上の溝を、パッキンの本体の水切り部に対向する面に複数設けることを特徴とする。
【発明の効果】
【０００７】
本発明に係るパッキンは、扉体と本体との透き間を塞ぐために貼付されるパッキンであって、扉体を閉じたとき、扉体がパッキンを圧縮する深さ以上の溝を、パッキンの本体の水切り部に対向する面に複数設けるため、パッキンを圧縮するのに必要な荷重を軽減し、パッキン性能の有効範囲を広くすると共に、防塵。防水性能を高め、パッキンの貼付作業を改善し、パッキンの材料費も低減する。
【発明を実施するための最良の形態】
【０００８】
パッキンの圧縮に必要な荷重を低減しパッキン性能の有効範囲を広くするという目的を、材料費を抑えて、パッキンの防塵・防水性能を損なわずに実現した。
【実施例１】
【０００９】
本発明に係るパッキンの実施例を図１〜図２の添付図面に基づいて説明する。
【００１０】
各種機器を収納するためのボックスは、前面に開口を有する本体１と、開口を施蓋する扉体２とで構成される。開口周縁には水切り部３が折曲形成され、防塵・防水性能を上げるために、扉体２の、水切り部３に対向する位置にパッキン４を貼付し、水や塵埃の進入を防ぐ。
【００１１】
パッキン４は、扉体２を閉じたとき、扉体２がパッキン４を圧縮する深さ以上の溝５を、パッキン４の本体１の水切り部３に対向する面に複数設ける。扉体２を閉じてパッキン４を圧縮するのに必要な荷重を小さくして、パッキン性能の有効範囲を広げるものである。
【００１２】
パッキン４は水切り部３より広く貼付し、外側の山５が水切り部３に覆い被さるようにし、その部分が返しとなってさらに防水・防塵性能を向上させる。
【００１３】
また、水分や塵埃が進入してきても、パッキンの溝にたまり本体への進入を避けることができる。
【実施例２】
【００１４】
パッキンは上記形状に限定されるものではなく、パッキンの材質、ボックスの形状等により本発明の趣旨を逸脱しない範囲において適宜変更可能である。例えば、図３に示すように、パッキン７に溝８を間隔を狭めて多く設けたものでもよい。
【実施例３】
【００１５】
図４に示すように、パッキン９に溝１０を鋭角に形成しても良い。
【実施例４】
【００１６】
図５に示すように、パッキン１１に溝１２を設け、山１３の先端を球状に形成しても良い。
【実施例５】
【００１７】
図６に示すように、パッキン１４の表裏にそれぞれ溝１５を設けたものでも良い。
【実施例６】
【００１８】
図７に示すように、パッキン１６の側面方向に溝１７を形成したものでも良い。
【産業上の利用可能性】
【００１９】
パッキンに溝を設けることでパッキンを圧縮する荷重が少なくて済み、また、パッキンの材料費を低減するためにも適用できる。
【図面の簡単な説明】
【００２０】
【図１】本発明に係るパッキンの形状を示す説明図である。（実施例１）
【図２】本発明に係るパッキンの使用状態を示す説明図である。（実施例１）
【図３】本発明に係るパッキンの形状を示す説明図である。（実施例２）
【図４】本発明に係るパッキンの形状を示す説明図である。（実施例３）
【図５】本発明に係るパッキンの形状を示す説明図である。（実施例４）
【図６】本発明に係るパッキンの形状を示す説明図である。（実施例５）
【図７】本発明に係るパッキンの形状を示す説明図である。（実施例６）
【図８】従来技術におけるパッキンの形状を示す説明図である。
【図９】従来技術におけるパッキンの使用状態を示す説明図である。
【図１０】従来技術におけるパッキンの形状を示す説明図である。
【図１１】従来技術におけるパッキンの使用状態を示す説明図である。
【符号の説明】
【００２１】
１      本体
２      扉体
３      水切り部
４      パッキン
５      溝
６      山
７      パッキン
８      溝
９      パッキン
１０    溝
１１    パッキン
１２    溝
１３    山
１４    パッキン
１５    溝
１６    パッキン
１７    溝
【図１】
2005256996.tif 000003
【図２】
2005256996.tif 000004
【図３】
2005256996.tif 000005
【図４】
2005256996.tif 000006
【図５】
2005256996.tif 000007
【図６】
2005256996.tif 000008
【図７】
2005256996.tif 000009
【図８】
2005256996.tif 000010
【図９】
2005256996.tif 000011
【図１０】
2005256996.tif 000012
【図１１】
2005256996.tif 000013